(57)【要約】【課題】通気性や透湿性に優れ、水分の吸収が良好でベトつきなどの不快感を抑え、家庭やホテルの個室などでの設置に適し、容易に洗濯、クリーニングおよび製造可能であり、足拭き使用時の位置ズレを適切に防止する足拭きマットを提供する。【解決手段】タック３は、タオル１０ｂの表面で、折り畳まれた状態で長手方向のステッチ４によって縫着されている。足拭きマット１は、このタック３が下面になるように床に設置され、反対側のタオル１０ａの表面に緩やかな凹凸が形成される。この緩やかな凹凸形状によって、足拭きマット１はいったん湿潤した場合でも、短い時間で速やかに乾燥するため、通気性や透湿性の向上という効果が得られる。さらに、タック３によって位置ズレを適切に防止でき、一般家庭やホテルの個室、病院の浴室やシャワー室などでの設置に適し、材質がタオルなので、容易に洗濯、および製造可能である。【選択図】図２
0003139899.tif 000002
【実用新案登録請求の範囲】
【請求項１】
一対のタオルの裏面同士を互いに対向させて、この一対のタオルの長手方向の両端を互いに縫い合わせ、一方のタオルの両端から所定の距離を折り返して、この折り返された両端を短手方向に沿って前記一方のタオルに縫い合わせ、他方のタオルの撓んだ部分から折り畳んだタックを真ん中を中心に左右対称に複数個ずつ形成し、前記他方のタオルの長手方向に沿って前記他方のタオルの短手方向の両端を含む複数箇所に縫い合わせたことを特徴とする足拭きマット。
【考案の詳細な説明】
【技術分野】
【０００１】
本考案は、通気性や透湿性に優れ、水分の吸収が良好でベタつきなどの不快感を抑え、さらっとした使用感を得ることができる足拭きマットに関する。
【背景技術】
【０００２】
一般家庭やホテルの個室における風呂場や、病院の浴室やシャワー室などには、いわゆる「足拭きマット」が設置されている。
この足拭きマットには、ジュート（麻）性のマットや、吸湿性に富む綿繊維を束ねて形成されたパイル（輪奈）を多数シート状に敷き詰めたものが利用されている。
一般家庭の風呂場や、病院の浴室やシャワー室などに設置された足拭きマットは、前回の使用者の水分が除々に浸透して、次の使用者に不快なベタつき感を与えるようになり、継続使用するうちに全体的に湿気を帯びていく。
そして、これが原因となって第三者からの感染症（水虫など）に係る問題が発生したり、足拭きマットの交換やクリーニングが頻繁に必要となるといった問題があった。
そこで、上記のような課題を解決するため、織り組織や足拭きマットの材料を研究することにより、継続使用に際しても使用者に不快なベタつき感を与えることなく、長期間清潔な状態を保つことのできる足拭きマットが研究・開発されている。
【０００３】
下記特許文献１には、立体メッシュシートと、該立体メッシュシートの上面側に備える透水シートと、この透水シートと前記立体メッシュシートとの間に介在される吸水部材とが、一体的な積層構造をなすことを特徴とする足拭きマットが開示されている。
下記特許文献２では、使用者の足を載せる部分が立体メッシュ構造をなすシートに形成してあることを特徴とする足拭きマットが開示されている。
【特許文献１】特開２００２−２０９７０９号公報
【特許文献２】特開２００３−１００３１号公報
【考案の開示】
【考案が解決しようとする課題】
【０００４】
ところで、足拭きマットは、一般に安価ではないため、家庭内での個人所有が難しいという問題がある。
また、単に床にタオルを複数枚重ねて敷いただけでは、足拭き時にめくれてしまったり、固定した位置から使用中に位置ズレしてしまうという問題がある。
さらに、上記特許文献１、および特許文献２に開示された足拭きマットでは、シート内の空隙によって通気性が保たれる反面、材料点数が増加してしまい、製造工程も複雑となるため、最終的な商品コストが高くなるばかりでなく、使用を終えた後のクリーニングや廃棄処分が困難になるといった問題がある。
また、上記特許文献１、および特許文献２に開示された足拭きマットでは、耐久性の観点から比較的丈夫な繊維を使用している場合が多く、踏んだときのクッション性が悪いため、一般家庭やホテルの個室、病院の浴室やシャワー室などにおける設置には不向きであるという問題がある。また、このような丈夫な繊維を用いた足拭きマットは、一般家庭において洗濯やクリーニングが困難となるという問題もある。
【０００５】
そこで、本考案では、このような従来の足拭きマットの課題に着眼し、通気性や透湿性に優れ、水分の吸収が良好でベタつきなどの不快感を抑え、特に、一般家庭やホテルの個室、病院の浴室やシャワー室などでの設置に適し、容易に洗濯、および製造可能であり、足拭き使用時の位置ズレを適切に防止する足拭きマットを提供することを目的とする。
【課題を解決するための手段】
【０００６】
請求項１記載の考案では、一対のタオルの裏面同士を互いに対向させて、この一対のタオルの長手方向の両端を互いに縫い合わせ、一方のタオルの両端から所定の距離を折り返して、この折り返された両端を短手方向に沿って前記一方のタオルに縫い合わせ、他方のタオルの撓んだ部分から折り畳んだタックを真ん中を中心に左右対称に複数個ずつ形成し、前記他方のタオルの長手方向に沿って前記他方のタオルの短手方向の両端を含む複数箇所に縫い合わせたことにより、前記目的を達成する。
【考案の効果】
【０００７】
請求項１記載の考案では、タオルの表面にタックが形成されることにより、この凹凸形状によって、いったん湿潤した場合でも、短い時間で速やかに乾燥するため、通気性や透湿性の向上という効果が得られる。さらに、タオルを用いていることにより、さらっとした使用感とすることができ、特に、家庭やホテルの個室、病院の浴室やシャワー室などでの設置に適し、材質がタオルなので、容易に洗濯、および製造可能である。
【考案を実施するための最良の形態】
【０００８】
以下に図１から図６を用いて、本考案の実施形態について詳細に説明する。
図１は、足拭きマット１の表側からの平面図であり、図２は、足拭きマット１の裏側からの斜視図である。
タオル１０ａ、および１０ｂは、それぞれ裏面同士で互いに向き合っており、両縁部２ａ、２ｂにおいて、短手方向のステッチ（縫い目）５、および短手方向のステッチ９により互いに縫着されている。
そして、タオル１０ｂには、複数のタック（突出部）３が長手方向に渡って所定間隔で形成されており、該タック３は、長手方向のステッチ４により縫着され固定されている。
【０００９】
なお、以下の実施形態では、タオル１０の材料をポリエステル系繊維を用いたものとして説明するが、該ポリエステル系繊維を材料として選択することにより、容易に洗濯、および製造可能な足拭きマット１となり、特に、一般家庭やホテルの個室、病院の浴室、シャワー室などでの使用に最適である。
【００１０】
また、タオル１０ａ、および１０ｂとして用いるタオルの種類には、ハンドタオル（１辺が約３５ｃｍ（センチメートル）程度の正方形の形状）、おしぼり用途のタオル（幅３５ｃｍ程度×長さ４０ｃｍ程度の形状）、浴用タオル（幅３３ｃｍ程度×長さ８５ｃｍ程度の形状）、フェイスタオル（幅３５ｃｍ程度×長さ８５ｃｍ程度の形状）、スポーツタオル（幅３５ｃｍ程度×長さ１１０ｃｍ程度の形状）、バスタオル（幅５０ｃｍ程度×長さ１００ｃｍ程度の形状）、タオルケット（幅１５０ｃｍ程度×長さ２００ｃｍ程度の形状）などがあり、足拭きマット１の使用者の体や足のサイズに合わせて、種々の形状の足拭きマット１を製造することができる。
なお、本実施形態におけるタオル１０には、フェイスタオル（幅３５ｃｍ程度×長さ８５ｃｍ程度の形状）を用いるものとして以下説明する。
【００１１】
タック３は、タオル１０ｂの表面で、折り畳まれた状態で長手方向のステッチ４によって縫着されている。
そして、足拭きマット１は、このタック３が下面になるように床に設置され、反対側のタオル１０ａの表面に緩やかな凹凸が形成される。この緩やかな凹凸形状によって、足拭きマット１はいったん湿潤した場合でも、短い時間で速やかに乾燥するため、通気性や透湿性の向上という効果が得られる。
また、使用者の皮膚とタオルとの接触面積を小さくすることができ、ベタつき感を抑え、さらっとした使用感とすることができる。
さらに、タック３と設置面とが互いに抵抗となるため、表面にタック３がない場合と比べ、使用者の足ふき時に足拭きマット１がめくれてしまったり、固定した位置から移動してしまうのを適切に防止することができる。
なお、タック３の凸部を高く調整するには、タオル１０ｂが厚いものが望ましいが、厚すぎる場合にはタック３の折り畳み加工が難しくなるため、タオル１０ｂの厚さは０．５ｍｍ（ミリメートル）〜５ｍｍ程度が好ましい。
【００１２】
次に、図３から図５を用いて、足拭きマット１の製造方法について詳細に説明する。
図３は、短手方向のステッチ９によってタオル１０ａ、および１０ｂが互いに縫着された状態を示した斜視図である。
まず、タオル１０ａ、および１０ｂは同一の形状のタオルであり、タオル１０ａ、および１０ｂは互いに異なる面で対向して配置され、図示しないミシンを用い短手方向のステッチ９によって、タオル１０ａ、および１０ｂが互いに縫着される。
縫着後、タオル１０ａ、および１０ｂのそれぞれの生地の面が、表の面が外側になるように配置する（つまり、タオル１０ａと１０ｂとを両端で対向させる際に、タオル１０ａの生地の表の面を外側に向け、タオル１０ｂの生地の裏の面を内側に向けて重ね合わせる）。
なお、このとき、縁部２ａの短手方向の長さは、概ね２〜３ｃｍ程度である。
【００１３】
図４は、ミシン６を用い、短手方向のステッチ５によってタオル１０ａ、および１０ｂが互いに縫着された状態を示した斜視図である。
まず、図３に示すような輪のような状態から、タオル１０ａの端を縁部２ａ、および２ｂから概ね５ｃｍ程度で折り返す。
そして、反対側であるタオル１０ｂには、このときタオル１０ａと１０ｂとの長さの差から撓み部１１が形成される。
続いて、タオル１０ａ、および１０ｂは、ミシン６によって、短手方向のステッチ５ａによって縫着され、これにより、縁部２ａ、および２ｂから折り返されてきたタオル１０ａと縫着される。
【００１４】
図５は、ミシン６を用い、長手方向のステッチ４によってタック３が縫着された状態を示した斜視図である。
タック３は、図４において形成された撓み部１１から、手作業により図５に示すように折り畳まれて積層され、タオルの長手方向に対して左右均等に形成される。
そして、このタック３が複数箇所に形成された状態で、ミシン６を用い、長手方向のステッチ４によってタック３が長手方向の両端２箇所、他にも長手方向に沿って所定間隔で４箇所縫着され、固定されている。
なお、タック３の短手方向の幅は、概ね２〜３ｃｍ程度であり、各タック３の間隔は２〜３ｃｍ程度である。
このように、フェイスタオル（幅３５ｃｍ程度×長さ８５ｃｍ程度の形状）２枚からなる足拭きマットは、短手方向に３５ｃｍ程度、長手方向に５０ｃｍ程度の大きさの足拭きマットとなり、上述した寸法によりタック３を２〜３ｃｍの幅で、２〜３ｃｍ間隔で形成した場合、概ね長手方向に６箇所程度のタック３を形成させることができる。
【００１５】
以上説明したように、本実施形態における足拭きマット１の製造方法は、短手方向のステッチ９、および短手方向のステッチ５でタオル１０ａ、および１０ｂの両縁部を互いに縫着し、タオル１０ｂの表面にタック３を形成させ、該タック３を長手方向のステッチ４で縫着するのみで簡易に製造することができる。
そして、製造工程が簡易なものであるため、最終的な商品コストを抑えることができ、使用を終えた後の洗濯やクリーニングを容易なものとすることができる。
特に、一般家庭において、足拭きマット１が簡易に、かつ、低コストで製造されるため、該足拭きマット１を各個人で所有することができ、家庭内での感染症（水虫など）に係る問題には特に大きな効果を有する。また、低コストで製造可能なため、頻繁に交換することができ、材質がタオルなので容易にクリーニングや洗濯を行うことができる。
【００１６】
図６は、足拭きマット１の設置例について示した図である。
本実施形態における足拭きマット１は、通気性や透湿性に優れ、水分の吸収が良好でベタつきなどの不快感を抑え、容易に洗濯可能である点から、特に一般家庭やホテルの個室、病院の浴室やシャワー室などでの使用が好適である。
例えば、一般家庭やホテルの個室に足拭きマット１を設置する場合、足拭きマット１のタオル１０を他の種類のタオル（例えば、フェイスタオル７、バスタオル８など）と同一とすることで、他のタオルと色目の統一を容易に図ることができ、高級感や色彩調節などの意匠的な効果を生じさせることができる。
また、病院の浴室やシャワー室などに足拭きマット１を設置する場合、該足拭きマット１を使用する病院の入院患者は、特定の時間帯で次々と順に浴室を利用するため、該足拭きマット１を頻繁に交換することで、入院患者への心理的な負担に配慮することができる。
【００１７】
なお、本実施形態では、足拭きマット１の製造方法としてミシン６を用いたが、本実施形態では、上記の製造方法に限定されることなく、ミシン６の代わりに手縫いで製造することもできる。
また、タック３を折り畳み、長手方向のステッチ４により縫着する前に、タック３が折り畳まれた状態で図示しないアイロンなどにより癖付けを行い、タック３の折り畳み状態を良好に維持させるなどの処理を加えても良い。
また、本実施形態では、タック３の形成の際に、図５に示すように折り畳み回数を２回としているが、この回数に限定されず、２回以上交互に折り畳むことで、凸部の高さをより高く調整することができる。
また、本実施形態では、足拭きマット１の裏側となるタオル１０ｂの表面にタック３を形成したが、足拭きマット１の表側となるタオル１０ａの表面にタック３を形成させ、タック３と使用者の地肌とが直接接するように設置することも可能である。
【図面の簡単な説明】
【００１８】
【図１】足拭きマットの表側からの平面図である。
【図２】足拭きマットの裏側からの斜視図である。
【図３】短手方向のステッチによってタオルが互いに縫着された状態を示した斜視図である。
【図４】ミシンを用い、短手方向のステッチによってタオルが互いに縫着された状態を示した斜視図である。
【図５】ミシンを用い、長手方向のステッチによってタックが縫着された状態を示した斜視図である。
【図６】足拭きマットの設置例について示した図である。
【符号の説明】
【００１９】
１  足拭きマット
２  縁部
３  タック
４  長手方向のステッチ
５  短手方向のステッチ
６  ミシン
７  フェイスタオル
８  バスタオル
９  短手方向のステッチ
１０  タオル
１１  撓み部
【図１】
0003139899.tif 000003
【図２】
0003139899.tif 000004
【図３】
0003139899.tif 000005
【図４】
0003139899.tif 000006
【図５】
0003139899.tif 000007
【図６】
0003139899.tif 000008